(57)【特許請求の範囲】
【請求項１】
固定接点と、
可動接点が設置されている可動板と、
可動バネと、
を有し、
前記可動バネの一方の端部近傍には屈曲部が形成されており、
前記可動バネの他方の端部には外部接続端子が設けられており、
前記可動板は、前記屈曲部において接触しており、
前記可動板はカードに取り付けられており、
前記カードを動かすことにより、前記可動板は前記可動バネと前記屈曲部において接触した状態を保ったまま動き、前記固定接点と前記可動接点とが接触している状態から接触していない状態に、また、接触していない状態から接触している状態にすることを特徴とするスイッチ。
【請求項２】
前記カードには、前記可動板が取り付けられる押さえバネが設けられており、
前記可動板の一方の端部を前記押さえバネの一方の端部に引っ掛け、前記可動板の他方の端部を前記押さえバネの他方の端部に引っ掛けることにより、前記可動板は前記押さえバネに取り付けられることを特徴とする請求項１に記載のスイッチ。
【請求項３】
固定接点と、
可動接点が設置されている可動板と、
可動バネと、
を有し、
前記可動板は、前記可動バネにおける屈曲部において接触しており、
前記可動板はカードに取り付けられており、
前記カードには、前記可動板が取り付けられる押さえバネが設けられており、
前記可動板の一方の端部を前記押さえバネの一方の端部に引っ掛け、前記可動板の他方の端部を前記押さえバネの他方の端部に引っ掛けることにより、前記可動板は前記押さえバネに取り付けられており、
前記カードを動かすことにより、前記可動板は前記可動バネと前記屈曲部において接触した状態を保ったまま動き、前記固定接点と前記可動接点とが接触している状態から接触していない状態に、また、接触していない状態から接触している状態にすることを特徴とするスイッチ。
【請求項４】
前記可動接点は、前記可動板の一方の端部近傍に設けられており、
前記可動板は、前記可動板の他方の端部近傍において、前記屈曲部と接触していることを特徴とする請求項１から３のいずれかに記載のスイッチ。
【請求項５】
請求項１から４のいずれかに記載のスイッチを含み、他のコネクタと接続される接続端子が設けられているコネクタであって、
前記コネクタと前記他のコネクタとを嵌合させることにより、前記カードが動き、前記固定接点と前記可動接点とが接触することを特徴とするコネクタ。
【発明の詳細な説明】
【技術分野】
【０００１】
本発明は、スイッチ及びコネクタに関する。
【背景技術】
【０００２】
電気機器が電源より電力の供給を受ける際には、コネクタを介し電源より電気機器へ電力が供給される。この際用いられるコネクタは、凸状の雄型タイプのコネクタと、凹状の雌型タイプのコネクタを嵌合することにより、電気的に接続を行うものである。
【０００３】
一方、近年では、地球温暖化等に対する対策の一つとして、電圧変換や送電等における電力損失が少なく、ケーブルの太さも太くする必要のない、直流で高電圧の電力の供給が検討されている。特に、サーバ等の情報機器においては、大量に電力を消費するため、このような電力供給が望ましいものとされている。
【０００４】
ところで、電気機器に供給される電力に関しては、電圧が高いと人体に影響を及ぼす場合や、電子部品の動作に影響を与える場合がある。このような高電圧の電力をサーバ等の情報機器に用いる場合、装置の設置やメンテナンスの際においては、人により作業が行われるため、電気的接続がされている部分であるコネクタは、通常の交流の商用電源に用いられるコネクタとは異なるものとする必要がある。このようなコネクタには、スイッチが組み込まれているものがある。
【先行技術文献】
【特許文献】
【０００５】
【特許文献１】特開平５−８２２０８号公報
【特許文献２】特開２００３−３１３０１号公報
【特許文献３】特開２０１２−１０４４４８号公報
【発明の概要】
【発明が解決しようとする課題】
【０００６】
スイッチを組み込んだ構成のコネクタでは、電源から供給される電力が高電圧で直流である場合、現在使用されているスイッチをそのまま用いることはできない。例えば、電源から供給される電力が直流４００Ｖの場合、交流１００Ｖに用いられているスイッチでは、直流４００Ｖを用いた場合の十分な安全性や信頼性が確保されていないため、そのまま直流４００Ｖに使用することは危険である。
【０００７】
よって、本発明は、上記に鑑みてなされたものであり、高電圧の電力を安全に供給することが可能なスイッチを提供することを目的とするものである。
【課題を解決するための手段】
【０００８】
本実施の形態の一観点によれば、固定接点と、可動接点が設置されている可動板と、可動バネと、を有し、前記可動バネの一方の端部近傍には屈曲部が形成されており、前記可動バネの他方の端部には外部接続端子が設けられており、前記可動板は、前記屈曲部において接触しており、前記可動板はカードに取り付けられており、前記カードを動かすことにより、前記可動板は前記可動バネと前記屈曲部において接触した状態を保ったまま動き、前記固定接点と前記可動接点とが接触している状態から接触していない状態に、また、接触していない状態から接触している状態にすることを特徴とする。
【発明の効果】
【０００９】
開示のスイッチによれば、高電圧の電力を安全に供給することができる。
【図面の簡単な説明】
【００１０】
【図１】本実施の形態に用いられるプラグコネクタの斜視図
【図２】本実施の形態におけるプラグコネクタの斜視図
【図３】プラグコネクタとジャックコネクタとが接続される前の斜視図
【図４】プラグコネクタとジャックコネクタとが接続される前の断面図（１）
【図５】プラグコネクタとジャックコネクタとが接続される前の断面図（２）
【図６】プラグコネクタとジャックコネクタとが接続される前の断面図（３）
【図７】本実施の形態におけるプラグコネクタの内部構造の斜視図
【図８】スイッチ部の構造図（オフ状態）
【図９】スイッチ部の構造図（オン状態）
【図１０】固定バネの斜視図
【図１１】可動部の斜視図
【図１２】可動板の斜視図
【図１３】可動バネの斜視図
【図１４】押さえバネの斜視図
【図１５】スイッチ部におけるボタンの斜視図
【図１６】本実施の形態におけるプラグコネクタの内部構造の断面斜視図
【図１７】スライド部の斜視図（１）
【図１８】スライド部の斜視図（２）
【図１９】プラグコネクタとジャックコネクタとの接続途中における断面図（１）
【図２０】プラグコネクタとジャックコネクタとの接続途中における断面図（２）
【図２１】プラグコネクタとジャックコネクタとの接続途中における断面図（３）
【図２２】プラグコネクタとジャックコネクタとが接続されている断面図（１）
【図２３】プラグコネクタとジャックコネクタとが接続されている断面図（２）
【図２４】プラグコネクタとジャックコネクタとが接続されている断面図（３）
【図２５】プラグコネクタとジャックコネクタとが離れる途中の断面図（１）
【図２６】プラグコネクタとジャックコネクタとが離れる途中の断面図（２）
【図２７】プラグコネクタとジャックコネクタとが離れる途中の断面図（３）
【発明を実施するための形態】
【００１１】
本発明を実施するための形態について、以下に説明する。尚、同じ部材等については、同一の符号を付して説明を省略する。
【００１２】
（コネクタの構造）
本実施の形態におけるコネクタの構造について説明する。図１は、プラグコネクタ１００の斜視図であり、図２は、ジャックコネクタの斜視図である。また、図３は、プラグコネクタとジャックコネクタとの嵌合前の状態における斜視図であり、図４から図６は、プラグコネクタとジャックコネクタとの嵌合前の状態における異なる断面の断面斜視図である。図７は、ジャックコネクタの内部の構造を示す斜視図である。
【００１３】
本実施の形態におけるコネクタは、図１に示される他のコネクタであるプラグコネクタ１００と接続されるものであって、図２に示される構造のジャックコネクタ２００である。プラグコネクタ１００には他の接続端子となる複数のプラグ端子が設けられており、ジャックコネクタ２００にはプラグ端子と接続される接続端子となる複数のジャック端子が設けられている。
【００１４】
最初に、図１に基づきプラグコネクタ１００について説明する。プラグコネクタ１００には、プラグ筐体部１１０において、後述するジャックコネクタ２００に、挿入されるプラグ端子１２１、１２２、１２３が設けられている。また、プラグ筐体部１１０のプラグ端子１２１、１２２、１２３が設けられている側とは反対側には、電力を供給するための電源ケーブル１３０が接続されている。プラグコネクタ１００には、プラグ端子１２１、１２２、１２３の周囲を囲むように、縁部１１１が形成されている。尚、プラグ端子１２１はＧＮＤ端子であり、プラグ端子１２２、１２３よりも長く形成されている。プラグ筐体部１１０は樹脂材料等の絶縁材料により形成されており、縁部１１１はプラグ筐体部１１０の一部として形成されている。
【００１５】
次に、図２から図７に基づきジャックコネクタ２００について説明する。ジャックコネクタ２００はジャック筐体部２１０を有している。ジャック筐体部２１０には、ジャック開口部２２１、２２２、２２３が設けられている。ジャックコネクタ２００においては、ジャック開口部２２１、２２２、２２３の内部に、図７等に示されるように、プラグコネクタ１００のプラグ端子１２１、１２２、１２３と接続されるジャック端子２３１、２３２、２３３が設けられている。
【００１６】
プラグ端子１２１はジャック開口部２２１の内部に設けられたジャック端子２３１と接続され、プラグ端子１２２はジャック開口部２２２の内部に設けられたジャック端子２３２と接続され、プラグ端子１２３はジャック開口部２２３の内部に設けられたジャック端子２３３と接続される。また、ジャック開口部２２１、２２２、２２３の周囲には、プラグコネクタ１００の縁部１１１が入り込むことのできる溝部２１１が形成されている。尚、ジャック開口部２２１の内部に設けられたジャック端子２３１はＧＮＤ端子である。
【００１７】
また、本実施の形態におけるジャックコネクタ２００は、ジャック筐体部２１０の内部に、後述する図８及び図９に示されるスイッチ部３００を有している。スイッチ部３００には、ジャックコネクタ２００のジャック端子２３２に接続される接続端子と、ジャック端子２３３に接続される接続端子が設けられており、スイッチ部３００におけるスイッチの接点が閉じることにより、ジャック端子２３２及びジャック端子２３３を介して、プラグコネクタ１００に電力が供給される。また、スイッチ部３００におけるスイッチが開くことにより、ジャック端子２３２及びジャック端子２３３を介したプラグコネクタ１００への電力の供給が停止する。
【００１８】
本実施の形態においては、図７から図９に示されるスイッチ部３００のボタン３６０の押下により、スイッチ部３００におけるスイッチが閉じ電力が供給される。この際、ジャックコネクタ２００の内部に設けられたスライド部２５０がスライド動作することにより、スライド部２５０によりボタン３６０が下方に押され、スイッチ部３００のスイッチが閉じ、ジャック端子２３２、２３３を介し、プラグコネクタ１００に電力が供給される。スライド部２５０及びボタン３６０の動作の詳細については後述する。
【００１９】
（スイッチ部）
次に、図８及び図９に基づき、ジャックコネクタ２００内に設けられているスイッチ部３００について説明する。本実施の形態におけるスイッチ部３００は、電力の供給の制御を行なうためのスイッチであって、電源スイッチとも称される。
【００２０】
図８及び図９に示されるように、スイッチ部３００は、固定部３１０と可動部３２０とを有し、固定部３１０における固定接点３１１と可動部３２０における可動接点３２１とが接触するか否かにより、電源の供給のオン、オフの制御を行なうことができるものである。尚、スイッチ部３００には固定部３１０と可動部３２０との対が合わせて２つ設けられており、それぞれの組はジャック端子２３２、２３３のいずれかに各々対応している。
【００２１】
固定部３１０は、全体が金属等の導電性材料により形成された固定バネ３１２を有しており、可動部３２０の可動接点３２１と接触する固定接点３１１が固定バネ３１２の一方の端部に設けられている構造のものである。固定接点３１１は銀と銅の合金により形成されており、固定バネ３１２は、銅又は銅を含む合金等からなる金属板等を折曲げることにより形成されている。
【００２２】
図１０は、本実施の形態による固定バネ３１２を示す。本実施の形態において、固定バネ３１２は、厚さが約０．５ｍｍ、幅が約５ｍｍの銅板を加工し折り曲げることにより形成されている。固定バネ３１２の一方の端部近傍には、固定接点３１１を設置するための固定接点設置穴３１２ａが形成されており、固定バネ３１２の他方の端部には外部接続端子３１２ｂが設けられている。尚、固定バネ３１２の他方の端部は、外部接続端子３１２ｂがベースブロック本体部３３１の外側に出た状態で、ベースブロック３３０に固定されている。
【００２３】
図１１は、可動板３２２が可動バネ３２３に取り付けられている状態の可動部３２０の斜視図である。図１１に示されるように、可動部３２０は、互いに金属等の導電性材料により形成された可動板３２２と可動バネ３２３とを有している。可動板３２２の一方の端部には、固定部３１０の固定接点３１１と接触する可動接点３２１が設けられている。また、図８及び図９に示されるように、可動板３２２は、押さえバネ３２４に取り付けられた状態でカード３４０に取り付けられており、可動バネ３２３は、ベースブロック本体部３３１に取り付けられている。可動板３２２は、可動板３２２の他方の端部の近傍において、可動バネ３２３の一方の端部の近傍に設けられた折り曲げられた屈曲形状により形成されている屈曲部３２３ａと接触している。可動板３２２は、屈曲部３２３ａの山側で接触しており、可動板３２２が動いた際、屈曲部３２３ａの山側と可動板３２２との接触位置が屈曲部３２３ａの山側において移動しながら接触状態が保たれる。可動接点３２１は銀と銅の合金により形成されている。可動板３２２は銅又は銅を含む合金等からなる金属板等を加工することにより形成されており、可動バネ３２３は銅又は銅を含む合金等からなる金属板等を折曲げることにより形成されている。
【００２４】
図１２は可動板３２２を示す。可動板３２２は、厚さが約０．５ｍｍ、幅が約５ｍｍの銅板を加工することにより形成されており、可動板３２２の一方の端部近傍には、可動接点３２１を設置するための可動接点設置穴３２２ａが形成されている。可動板３２２には、押さえバネ３２４が取り付けられる凹部３２２ｂ及び凹部３２２ｃが、一方の端部及び他方の端部の近傍に設けられている。
【００２５】
図１３は可動バネ３２３を示す。可動バネ３２３は、厚さが約０．５ｍｍ、幅が約５ｍｍの銅板を加工し折り曲げることにより形成されている。可動バネ３２３の一方の端部近傍には、可動板３２２と接触する曲面状に折り曲げられた屈曲部３２３ａが形成されており、可動バネ３２３の他方の端部には外部接続端子３２３ｂが設けられている。可動バネ３２３の他方の端部は、外部接続端子３２３ｂが、ベースブロック本体部３３１の外側に出た状態で、ベースブロック３３０に固定されている。
【００２６】
本実施の形態においては、図１２に示されるように、可動板３２２には、他方の端部の近傍に開口部３２２ｄが形成されている。可動板３２２の開口部３２２ｄよりも他方の端部側には、端部接触部３２２ｅが形成されている。端部接触部３２２ｅの可動板３２２短手方向の開口幅は、開口部３２２ｄの開口幅よりも狭く形成されている。可動バネ３２３と可動板３２２とは、開口部３２２ｄが可動バネ３２３に入り込み、可動バネ３２３の屈曲部３２３ａと可動板３２２とが接触している状態で設置されている。尚、本実施の形態においては、外部接続端子３１２ｂまたは外部接続端子３２３ｂのうちの一方が、ジャック端子２３２またはジャック端子２３３と接続され、他方が不図示の電源に接続される。
【００２７】
尚、本実施の形態においては、可動板３２２は可動バネ３２３に固着されてはいない。また、本実施の形態においては、可動板３２２の端部接触部３２２ｅが形成されている側も可動バネ３２３に固定されてはおらず、屈曲部３２３ａの山を支点として端部接触部３２２ｅを可動バネ３２３に対して上下方向に変位可能としている。このような構成により、可動板３２２および可動バネ３２３のバネ性が低くとも可動板３２２を動作させることができる。
【００２８】
図１４は、押さえバネ３２４を示す。押さえバネ３２４は、厚さが約０．２ｍｍのステンレス板を加工することにより形成されており、バネ性とともに導電性も有している。押さえバネ３２４の一方の端部及び他方の端部は折り曲げられて引っ掛け部３２４ａ及び３２４ｂが形成されている。押さえバネ３２４は、図１１に示すように可動板３２２に取り付けられる。押さえバネ３２４を可動板３２２に取り付ける際には、押さえバネ３２４の一方の端部に形成された引っ掛け部３２４ａを可動板３２２の一方の端部の凹部３２２ｂに引っ掛け、押さえバネ３２４の他方の端部に形成された引っ掛け部３２４ｂを可動板３２２の他方の端部の凹部３２２ｃに引っ掛けることにより取り付けられる。
【００２９】
図８及び図９に示すように、押さえバネ３２４の上部の中央部分がカード３４０のカード本体部３４５の下部に接触し、可動板３２２の下部がカード３４０の下部接触部３４２と接触するように、押さえバネ３２４が取り付けられている可動板３２２がカード３４０に取り付けられる。この状態においては、押さえバネ３２４のバネ力により可動板３２２がカード３４０の下部接触部３４２の側に押される。尚、押さえバネ３２４が取り付けられた可動板３２２をカード３４０に取り付ける際には、押さえバネ３２４の中央部分をカード本体部３４５に固定してもよい。
【００３０】
本実施の形態においては、電流が流れる固定バネ３１２、可動板３２２、可動バネ３２３は、電流を多く流すために従来の構造のものよりも厚く形成されている。
【００３１】
従来の固定バネ等の厚さは、一例として約０．１５ｍｍであるが、本実施の形態による固定バネ等の厚さは約０．５ｍｍと、従来のものと比較して厚くなっている。固定バネ等の厚さが薄いと導電率が低く抵抗が高いため、大電流を流した時に固定バネ等が発熱してしまう。しかし、固定バネ等を厚くして導電率を高め、抵抗を低くすることにより、大電流を流しても固定バネ等の発熱を抑制することができ、大電流（例えば約２６Ａ）の電流を流すことが可能となる。
【００３２】
尚、固定バネ３１２、可動板３２２、可動バネ３２３の厚さをたとえば０．３ｍｍすることにより、従来の約２倍の電流を流すことができ、またこれらの厚みを０．４５ｍｍにすることにより従来の約３倍の電流を流すことができる。
【００３３】
ところで、固定バネ３１２や可動バネ３２３の厚さを厚くした場合、固定バネ３１２や可動バネ３２３の弾性が低下し、バネとしての機能が弱まる。このため、本実施の形態においては、可動部３２０を可動バネ３２３と可動板３２２とに分け、可動接点３２１が固定接点３１１に接触する際には、可動板３２２が可動バネ３２３の屈曲部３２３ａと接触した状態のまま、可動接点３２１が固定接点３１１に近づき接触するように可動板３２２が動くように構成している。よって、可動接点３２１が固定接点３１１に接触する際には、可動板３２２が動くため、可動バネ３２３を変形させる必要性が小さい。従って、可動バネ３２３の弾性が低くバネ性が小さくても、可動板３２２を動かすことでスイッチとして機能させることができる。一方、可動バネ３２３にバネとしての機能があまり要求されないため、可動バネ３２３の板厚を厚くしてもスイッチの動作に支障を生じさせることがなく、スイッチに流す電流を大きくすることも可能となる。また、本実施の形態においては、可動接点３２１が固定接点３１１に接触する際に可動板３２２が動くことにより、可動板３２２の端部接触部３２２ｅが可動バネ３２３と接触する。これにより、可動バネ３２３の可動板３２２との接触部分が屈曲部３２３ａを含め２カ所になる。従って、可動接点３２１が固定接点３１１に接触した際に、可動板３２２との接触が屈曲部３２３ａのみの場合と比べて、可動バネ３２３と可動板３２２との間の抵抗を低くすることができる。尚、固定バネ３１２や可動バネ３２３を形成する材料としては、例えば、純銅等を用いてもよい。
【００３４】
尚、可動バネ３２３は、金属板等を折曲げることにより形成されているため、弾性はやや低下しているもののある程度の柔軟性を有している。そのため、可動板３２２の一方の端部に設けられた可動接点３２１を上下方向に動かす際に、可動板３２２の位置が動くことにより屈曲部３２３ａが可動板３２２に押されるため、可動板３２２と可動バネ３２３の屈曲部３２３ａとが接触した状態のまま可動バネ３２３が下方に若干変形する。つまり、図９のように端部接触部３２２ｅが図示上側に移動した状態で可動バネ３２３がカードによってさらに押されると、端部接触部３２２ｅと可動バネ３２３との接触位置が支点として作用して、可動バネ３２３が可動板３２２により押されて若干変形する。可動バネ３２３の下方への変形によって可動バネ３２３に上方への復元力が生じるが、この復元力も可動板３２２と屈曲部３２３ａとの接触を保つことに寄与する。
【００３５】
ベースブロック３３０の固定バネ３１２の他方の端部が接続されている部分と、可動バネ３２３の他方の端部が接続されている部分との間には、難燃性の樹脂材料等からなる絶縁壁３３３が設けられており、可動バネ３２３は、他方の端部より絶縁壁３３３の周囲の一部を回り込むような形状で曲げられている。
【００３６】
本実施の形態においては、カード３４０に押さえバネ３２４が取り付けられており、押さえバネ３２４に可動板３２２が取り付けられているため、回転軸３４３を中心にカード３４０を回転させることにより、可動板３２２が可動バネ３２３における屈曲部３２３ａと接触している状態のまま可動板３２２を動かすことができ、可動接点３２１を上下方向に移動させることができる。
【００３７】
カード３４０に取り付けられている押さえバネ３２４は、可動バネ３２３と可動板３２２とが接触している状態で、可動バネ３２３に向けて復元力が働く。カード３４０の動作によって可動板３２２を動かした際には、押さえバネ３２４により可動板３２２が可動バネ３２３側に押されるため、可動板３２２と可動バネ３２３との接触状態を維持したまま、可動板３２２を動かすことができる。
【００３８】
可動接点３２１が固定接点３１１に接触した後、更に、回転軸３４３を中心にカード３４０を下向きに回転させた場合には、固定バネ３１２と押さえバネ３２４が変形する。本実施の形態においては、固定バネ３１２よりも押さえバネ３２４の方が変形しやすい。
【００３９】
固定部３１０及び可動部３２０は、ベースブロック３３０とスイッチ部ケース３５０に囲まれた領域の内部に設置されている。カード３４０は、スイッチ部ケース３５０に設けられたスイッチ部開口部３５１より外部に飛び出した形状の突起部３４４と、ベースブロック３３０とスイッチ部ケース３５０に囲まれた領域の内部に位置するカード本体部３４５とを有しており、カード本体部３４５の下には、下部接触部３４２が設けられている。尚、カード３４０、ベースブロック３３０及びスイッチ部ケース３５０は樹脂材料等からなる絶縁体材料により形成されている。
【００４０】
スイッチ部ケース３５０の外部には、回転軸３４３を中心にカード３４０を回転させるために押下されるボタン３６０が設けられている。カード３４０とボタン３６０とは、回転軸３４３を中心にカード３４０が回転可能な状態で接続されており、ボタン３６０が上方に移動する場合には、カード３４０はボタン３６０によって引き上げ可能な構造になっている。カード３４０は、突起部３４４の上部に設けられた接触部３４４ａでボタン３６０の内壁部３６１と接触している。尚、接触部３４４ａは、内壁部３６１の表面を摺動するものであるため、摩擦抵抗を低減させるために内壁部３６１の表面には、フッ素樹脂等により形成された表面層を設けてもよい。また、スイッチ部ケース３５０の外部には、一方の端部がスイッチ部ケース３５０に接続され、他方の端部がボタン３６０に接続された開離バネ３７０が設けられている。
【００４１】
図１５は、ボタン３６０の斜視図である。本実施の形態においては、ボタン３６０の上側には、図１５に示されているボタン突起部３６５が形成されている。ボタン突起部３６５は、下部平坦部３６９より図１５図示上方に飛び出した構造のものであり、ボタン突起部３６５の上部は平坦に形成された上部平坦部３６６となっている。ボタン突起部３６５において、上部平坦部３６６より下部平坦部３６９に向かう側面には、傾斜が急な急傾斜部３６７と傾斜が緩やかな緩傾斜部３６８とが形成されている。
【００４２】
（スライド部）
次に、スライド部２５０について、図７、図１６、図１７、図１８に基づき説明する。尚、図１６は、ジャックコネクタの内部の構造を示す断面斜視図であり、図１７、図１８は、スライド部２５０の斜視図である。図１７はスライド部の下面を、図１８はスライド部の上面を、それぞれ図示している。
【００４３】
本実施の形態においては、プラグコネクタの挿入によってジャックコネクタ２００の内部に設けられたスライド部２５０がスライド動作することにより、ボタン３６０が押され、スイッチ部３００においてオン動作がなされる。
【００４４】
スライド部２５０の一方の面（図７図示の上面、図１８図示の面）には、上側突起部２５１が形成されている。上側突起部２５１の上端には平坦な上面部２５２が形成されており、上面部２５２の端から下側に向かって傾斜しているスライド傾斜部２５３が形成されている。スライド傾斜部２５３は下側の端の傾斜端部２５４まで形成されている。また、スライド部２５０の他方の面（図１７図示の面）には、下側突起部２５６が形成されている。図１７に示すように、下側突起部２５６は略円形に形成されており、一部略円形の部分より張出している張出部２５７が形成されている。尚、下側突起部２５６と張出部２５７とは、頂となる部分が同じ高さとなるように形成されている。
【００４５】
本実施の形態においては、図７及び図１６に示される状態で、ジャックコネクタ２００にプラグコネクタ１００が挿入されることにより、プラグコネクタ１００の縁部１１１がスライド傾斜部２５３に接触し、スライド部２５０におけるスライド傾斜部２５３が縁部１１１によって押される。これにより、スライド部２５０が図７図示右方向にスライドし、縁部１１１とスライド部２５０の傾斜端部２５４とが接触するまでスライド部２５０がスライドすると、スライド部２５０のスライドは終了する。
【００４６】
尚、スライド部２５０のスライドに応じて、スライド部２５０によりボタン３６０が押下され、これによりカード３４０が下方に回転する。この後、プラグコネクタ１００の縁部１１１は、プラグ端子１２１、１２２、１２３とともに、更にジャックコネクタ２００の内部に入り込むことにより、スイッチ部３００のスイッチがオンとなり、プラグコネクタ１００に電力の供給がなされる。
【００４７】
具体的には、ジャックコネクタ２００にプラグコネクタ１００を挿入することにより、スライド部２５０の下側突起部２５６とボタン３６０におけるボタン突起部３６５とが接触し、スライド部２５０の右方向へのスライドに応じて下側突起部２５６がボタン突起部３６５を押す。ボタン突起部３６５には斜面が形成されているため、ボタン３６０が下方に押圧される。これにより、ボタン３６０と接触しているカード３４０が、ボタン３６０の下方への移動に応じて下方に回転する。
【００４８】
（スイッチ部におけるオンオフ動作）
スイッチ部３００において、スイッチをオンにする場合には、プラグコネクタ１００をジャックコネクタ２００に挿入する。これにより、上記で説明した動作によってボタン３６０が下方に押され、ボタン３６０の内壁部３６１に接触部３４４ａが接触しているカード３４０が回転軸３４３を中心に図８の状態から図示下向きに回転し、押さえバネ３２４がカード３４０により下方に押される。押さえバネ３２４がカード３４０によって下方に押されるため、押さえバネ３２４に取り付けられている可動板３２２が図８図示下方に動き、可動接点３２１と固定接点３１１とが接触する。可動接点３２１と固定接点３１１とが接触している状態を図９に示す。可動接点３２１と固定接点３１１とが接触することで電源からの電力がプラグコネクタ１００の側に供給される。
【００４９】
また、スイッチをオフにする場合には、ジャックコネクタ２００からプラグコネクタ１００を抜くことにより、スライド部２５０が元の位置に復帰し、ボタン３６０を押している力がなくなる。これにより、開離バネ３７０の復元力によりボタン３６０が上方に移動し、ボタン３６０がオフの状態に戻る。ボタン３６０が上方に移動すると、ボタン３６０と接続されているカード３４０がボタン３６０によって引き上げられるので、カード３４０が回転軸３４３を中心に上向きに回転する。このカード３４０の動作に応じて、カード３４０に取り付けられている押さえバネ３２４が上方に引き上げられ、押さえバネ３２４に取り付けられている可動板３２２も上に動く。このように可動板３２２が上に動くことにより、可動接点３２１と固定接点３１１との接触を離すことができ、電源からの電力の供給を停止することができる。
【００５０】
可動接点３２１と固定接点３１１との接触を離す際、可動接点３２１と固定接点３１１との間でアークが発生する場合があるため、磁界の力によりアークを飛ばすことができるように、可動接点３２１と固定接点３１１との接触位置の近傍には、アークの発生する方向に対して略垂直方向の磁界を発生させる永久磁石３８０が設けられている。
【００５１】
このように、開離バネ３７０の復元力によりボタン３６０を元の状態に戻すことでボタン３６０が上に持ち上げられると、ボタン３６０に接続されているカード３４０もボタン３６０に連動して上に持ち上げられ、カード３４０によって押さえバネ３２４が上方に引き上げられるため、固定接点３１１から可動接点３２１が離れる。
【００５２】
また、ベースブロック３３０には、固定バネ３１２の他方の端部が接続されている部分と、可動バネ３２３の他方の端部が接続されている部分との間に絶縁壁３３３が設けられている。これにより、固定部３１０や可動部３２０の熱による溶解等が進行した場合においても、固定部３１０と可動部３２０とが絶縁壁３３３により分離される。よって、固定部３１０と可動部３２０とが、溶解によってくっついた状態のまま電流が流れ続けてしまうことを防ぐことができる。
【００５３】
（コネクタの接続方法）
次に、本実施の形態におけるコネクタの接続方法について説明する。具体的には、図３から図６に示されるように、プラグコネクタ１００とジャックコネクタ２００とが離れている状態から、プラグコネクタ１００とジャックコネクタ２００とが嵌合し、電気的に接続される状態となるまでを順に説明する。尚、下記においては、図１９から図２７に図示されているプラグ端子１２１とジャック端子２３１及び、プラグ端子１２３とジャック端子２３３とについて説明する。図１９から図２７に不図示のプラグ端子１２２とジャック端子２３２との状態もプラグ端子１２３とジャック端子２３３の状態と同様であるため、以下説明は省略する。
【００５４】
図１９から図２１は、プラグ端子１２１、１２２、１２３をジャック開口部２２１、２２２、２２３にそれぞれ挿入した状態の断面斜視図である。図１９は図４に対応する断面であり、図２０は図５に対応する断面であり、図２１は図６に対応する断面である。
【００５５】
最初に、図３から図６に示す状態から、プラグコネクタ１００のプラグ端子１２１、１２２、１２３をジャックコネクタ２００のジャック開口部２２１、２２２、２２３に挿入することにより、図１９から図２１に示す状態となる。
【００５６】
これにより、プラグコネクタ１００のプラグ端子１２１とジャック開口部２２１内のジャック端子２３１とが接触し、プラグコネクタ１００のプラグ端子１２３とジャック開口部２２３内のジャック端子２３３とが接触する。この際、プラグコネクタ１００の縁部１１１がジャックコネクタ２００の溝部２１１に入り込み、図２０に示すようにジャックコネクタ２００内に設けられているスライド部２５０の上側突起部２５１に形成されたスライド傾斜部２５３と接触する。但し、図１９から図２１の状態では、上側突起部２５１のスライド傾斜部２５３は縁部１１１の先端と接触しているだけであり、スライド部２５０は図示右方向にはスライド移動してはいない。尚、スライド部２５０には、外から力が加わらなければ、元の状態（図３から図７の位置）が維持されるように、バネ等の弾性体によって図７や図１９〜図２１の図示左方向に付勢されている。
【００５７】
図１９から図２１の状態では、プラグ端子１２１とジャック端子２３１とが接触しており、プラグ端子１２３とジャック端子２３３とが接触している。しかしながら、スイッチ部３００の可動接点３２１と固定接点３１１とが接触していないため、スイッチ部３００はオフであり、プラグコネクタ１００側には電力は供給されない。尚、この状態においては、スライド部２５０の下側突起部２５６の端部は、図２１のように、ボタン３６０の下部平坦部３６９と接触している。
【００５８】
この後、図１９から図２１に示す状態から、プラグコネクタ１００をジャックコネクタ２００に更に挿入することにより、図２２から図２４に示す状態となる。尚、図２２から図２４は、この状態におけるプラグコネクタとジャックコネクタの異なる断面の断面斜視図である。図２２は図４に対応する断面であり、図２３は図５に対応する断面であり、図２４は図６に対応する断面である。
【００５９】
これにより、プラグ端子１２１はジャック端子２３１の奥に、ジャック端子２３１との接触が維持された状態のまま入り込む。また、プラグ端子１２３はジャック端子２３３の奥に、ジャック端子２３３との接触が維持された状態のまま入り込む。
【００６０】
この際、プラグコネクタ１００の縁部１１１も、ジャックコネクタ２００の溝部２１１の奥にさらに入り込み、プラグコネクタ１００の押込みによってスライド部２５０のスライド傾斜部２５３が縁部１１１の先端部分により押される。このように縁部１１１の先端部分によりスライド傾斜部２５３が押されることにより、縁部１１１の先端部分がスライド部２５０の傾斜端部２５４の位置に達するまで、スライド部２５０を図示右側にスライドさせる。図２３は、縁部１１１が傾斜端部２５４に達し、スライド部２５０が図示右方向にスライドした状態を示している。
【００６１】
これにより、スライド部２５０の張出部２５７は、ボタン３６０の急傾斜部３６７と接触し、スライド部２５０がさらに図示右側にスライドすることにより、緩傾斜部３６８に接触する下側突起部２５６により緩傾斜部３６８に図示右方向への力が加わるのでボタン３６０に下方向に力が加わり、ボタン３６０が下降する。これにより、カード３４０がボタン３６０に押されて回転することで、押さえバネ３２４がカード３４０によって押されて可動板３２２が動き、可動接点３２１が固定接点３１１に向けて移動する。可動板３２２が動く際、可動板３２２と屈曲部３２３ａとの接触状態は維持される。このような動作によって、スイッチ部３００の可動接点３２１と固定接点３１１とが接触する。
【００６２】
尚、可動接点３２１と固定接点３１１とが接触する前からプラグ端子１２３はジャック端子２３３とすでに接触しており、スイッチ部の可動接点３２１と固定接点３１１とが接触することによって、ジャックコネクタ２００からプラグコネクタ１００側に電力が供給される。また、ボタン３６０が下降した状態でスライド部２５０はさらに右方向にスライドし、図２４に示すようにボタン３６０の上部平坦部３６６の上に下側突起部２５６及び張出部２５７が移動する。このため、ボタン３６０の上方への移動が上部平坦部３６６に接触する下側突起部２５６によって規制され、スライド部２５０が図示左側に移動するまで可動接点３２１と固定接点３１１との接触状態が維持される。
【００６３】
次に、電力供給を停止する場合、つまりプラグコネクタ１００をジャックコネクタ２００から抜く場合について説明する。最初に、図２２から図２４に示す状態から、プラグコネクタ１００をジャックコネクタ２００から少し離すことにより、図２５から図２７に示す状態となる。尚、図２５から図２７は、プラグコネクタ１００をジャックコネクタ２００から少し抜いた状態におけるプラグコネクタ１００とジャックコネクタ２００の異なる断面の断面斜視図である。図２５は図４に対応する断面であり、図２６は図５に対応する断面であり、図２７は図６に対応する断面である。図２５及び図２６においては、スイッチ部３００の内部が透過している状態を示している。
【００６４】
図２５から図２７の状態では、プラグコネクタ１００とジャックコネクタ２００とは少し離れるが、プラグ端子１２１とジャック端子２３１との接触は維持されており、同様に、プラグ端子１２３とジャック端子２３３との接触は維持されている。
【００６５】
この状態において、縁部１１１の先端かつ外側の部分は、図２６に示すように、スライド部２５０の傾斜端部２５４と接触おり、スライド部２５０が図示右側の位置にある。このため、ボタン３６０はスライド部２５０によって押されている状態にあり、スイッチ部３００の可動接点３２１と固定接点３１１との接触が維持されている。従って、プラグ端子１２１とジャック端子２３１との接触が維持され、プラグ端子１２３とジャック端子２３３との接触が維持されている図２６の状態では、プラグコネクタ１００側に電力が供給される。
【００６６】
この後、更に、プラグコネクタ１００をジャックコネクタ２００から抜くことにより、図１９から図２１に示す状態となる。尚、プラグコネクタ１００の引き抜きによって縁部１１１が傾斜端部２５４と接触しない状態になると、スライド部２５０がバネ力によって図示左方向に復帰・スライドし始める。この際、スライド部２５０の張出部２５７が、ボタン３６０の急傾斜部３６７を滑るように移動する。即ち、スライド部２５０の図示左方向への移動に応じて、まず、下側突起部２５６が上部平坦部３６６と接触している状態が解除される。ただし、張出部２５７が上部平坦部３６６と接している状態は維持されており、ボタン３６０の上方への移動は規制されたままなので、ボタン３６０はオン状態のままになっている。その後、スライド部２５０がさらに図示左方向へ移動すると、張出部２５７と上部平坦部３６６との接触状態も解除される。急傾斜部３６７は傾斜が急峻であるため、張出部２５７と上部平坦部３６６との接触状態が解除されるとそれまで張出部２５７によって押されていたボタン３６０が瞬間的に上方に移動する。これにより、下側突起部２５６及び張出部２５７がボタン３６０を押している力が解除されるため、ボタン３６０は上に動き、元の位置に戻る。
【００６７】
このようにボタン３６０が元の位置に戻ることにより、スイッチ部３００の可動接点３２１と固定接点３１１とが離れる。そのため、プラグ端子１２３とジャック端子２３３との接触は維持されているものの、プラグコネクタ１００側への電力の供給は遮断される。
【００６８】
この後、更に、プラグコネクタ１００とジャックコネクタ２００とを離すことにより、図３から図６に示す状態となり、プラグ端子１２１とジャック端子２３１との接触及びプラグ端子１２３とジャック端子２３３との接触が離れる。この際、プラグ端子１２１とジャック端子２３１との切り離し及び、プラグ端子１２３とジャック端子２３３との切り離しが行われる前には、既に、スイッチ部３００における可動接点３２１と固定接点３１１とが離れているため、プラグコネクタ１００への電力の供給が遮断されている。よって、プラグ端子とジャック端子とが切り離される際にアークが発生することはない。
【００６９】
尚、本実施の形態においては、スライド部２５０の張出部２５７が、ボタン３６０の急傾斜部３６７を移動するため、張出部２５７と急傾斜部３６７との接触状態が解除されると、ボタン３６０が瞬時に上方に移動する。ボタン３６０が瞬時に上昇することに応じてカード３４０がボタン３６０によって引き上げられるため、可動接点３２１が瞬時に固定接点３１１から離れ、瞬時に電力の供給を遮断することができる。尚、本実施の形態においては、急傾斜部３６７の傾斜角度を変えることにより、電力の供給を遮断する速度等を調節することができる。
【００７０】
以上、本発明の実施に係る形態について説明したが、上記内容は、発明の内容を限定するものではない。
【符号の説明】
【００７１】
１００      プラグコネクタ
１１０      プラグ筐体部
１２１、１２２、１２３      プラグ端子
２００      ジャックコネクタ
２１０      ジャック筐体部
２１１      溝部
２３１、２３２、２３３      ジャック端子
２５０      スライド部
３００      スイッチ部
３１０      固定部
３１１      固定接点
３１２      固定バネ
３２０      可動部
３２１      可動接点
３２２      可動板
３２２ｂ、３２２ｃ    凹部
３２３      可動バネ
３２３ａ    屈曲部
３２４      押さえバネ
３２４ａ、３２４ｂ    引っ掛け部
３３０      ベースブロック
３４０      カード
３４３      回転軸
３４４      突起部
３６０      ボタン
３７０      開離バネ
【図１】
0006660190.tif 000002
【図２】
0006660190.tif 000003
【図３】
0006660190.tif 000004
【図４】
0006660190.tif 000005
【図５】
0006660190.tif 000006
【図６】
0006660190.tif 000007
【図７】
0006660190.tif 000008
【図８】
0006660190.tif 000009
【図９】
0006660190.tif 000010
【図１０】
0006660190.tif 000011
【図１１】
0006660190.tif 000012
【図１２】
0006660190.tif 000013
【図１３】
0006660190.tif 000014
【図１４】
0006660190.tif 000015
【図１５】
0006660190.tif 000016
【図１６】
0006660190.tif 000017
【図１７】
0006660190.tif 000018
【図１８】
0006660190.tif 000019
【図１９】
0006660190.tif 000020
【図２０】
0006660190.tif 000021
【図２１】
0006660190.tif 000022
【図２２】
0006660190.tif 000023
【図２３】
0006660190.tif 000024
【図２４】
0006660190.tif 000025
【図２５】
0006660190.tif 000026
【図２６】
0006660190.tif 000027
【図２７】
0006660190.tif 000028